(57)【特許請求の範囲】
【請求項１】
錠部を有する雌ホックと、ダボを有する雄ホックとからなり、前記雌ホックの錠部は、雄ホックのダボが係止されるフックと該フックを施錠状態に付勢するばね部材とを有し、雄ホックのダボが雌ホックのフックに係止することにより雌ホックと雄ホックとの結着がなされるようになされた留め具であって、前記雄ホックのダボは、雄ホックの着脱方向に貫通する貫通孔を有し、該貫通孔には、ノック棒がスプリングを介して貫通孔内を着脱方向に前進、後退するように配設されており、かつノック棒の後端部には、前記スプリングの後端を係止する第２の係止部が設けられており、このノック棒の第２の係止部は、雄ホックの外装ケースに形成された開口部の内周縁部によりノック棒の後退が規制されるようになっており、解除具として筆記用具を使用した場合、該筆記用具の先部によりノック棒の後端部を押してノック棒が前進して貫通孔の開口部からノック棒の先端が突き出たとき、雌ホックの錠部に当接し、解錠できるようになっており、筆記用具の先部をノック棒の後端部から外したときには前記スプリングの付勢力の解除によりノック棒が後退できるようになっていることを特徴とする係止機構付き留め具。
【請求項２】
錠部を有する雌ホックと、ダボを有する雄ホックとからなり、前記雌ホックの錠部は、雄ホックのダボが係止される駆動部片と該駆動部片を施錠状態に付勢するばね部材とを有し、雄ホックのダボが雌ホックの駆動部片に係止することにより雌ホックと雄ホックとの結着がなされるようになされた留め具であって、前記雄ホックのダボは、雄ホックの着脱方向に貫通する貫通孔を有し、該貫通孔には、ノック棒がスプリングを介して貫通孔内を着脱方向に前進、後退するように配設されており、かつノック棒の後端部には、前記スプリングの後端を係止する第２の係止部が設けられており、このノック棒の第２の係止部は、雄ホックの外装ケースに形成された開口部の内周縁部によりノック棒の後退が規制されるようになっており、解除具として筆記用具を使用した場合、該筆記用具の先部によりノック棒の後端部を押してノック棒が前進して貫通孔の開口部からノック棒の先端が突き出たとき、雌ホックの錠部に当接し、解錠できるようになっており、筆記用具の先部をノック棒の後端部から外したときには前記スプリングの付勢力の解除によりノック棒が後退できるようになっていることを特徴とする係止機構付き留め具。
【請求項３】
前記ノック棒の後端部の解錠具が当接する部分の面積は、解錠具としての筆記用具のペン先が当接する程度の面積であり、人の指で触っただけでは解錠できないようになっていることを特徴とする請求項１又は２に記載の係止機構付き留め具。
【請求項４】
前記ノック棒の第２の係止部は、前記外装ケースの開口部の内周縁部の内側において、当該内周縁部により係止され、当該第２の係止部は、外装ケースの開口部から突出していないことを特徴とする請求項１〜３のいずれか1項に記載の係止機構付き留め具。
【請求項５】
前記ノック棒は、その軸方向の外周にスプリングを介装し、前記貫通孔内を着脱方向に前進、後退するように配設されていることを特徴とする請求項１〜４のいずれか1項に記載の係止機構付き留め具。
【請求項６】
前記ダボの貫通孔の拡径部の先端部にはスプリングの前端を係止する第１の係止部を有し、ノック棒の後端部にはスプリングの後端を係止する第２の係止部を有し、ノック棒が突き出たとき、第１及び第２の係止部により前記スプリングに付勢力が加わるようになっていることを特徴とする請求項１〜５のいずれか１項に記載の係止機構付き留め具。
【請求項７】
錠部を有する雌ホックと、ダボを有する雄ホックとからなり、前記雌ホックの錠部は、雄ホックのダボに係止されるフックと、該フックを保持するガイドと、雄ホックのダボに対するフックの係止を開放させる駆動部片と、フックを施錠状態に付勢するばねとを有し、前記フックを雄ホックのダボに係止することによって雌ホックと雄ホックとの結着および施錠がされ、ノック棒の後端部を解錠具により押してノック棒が前進して貫通孔の開口部からノック棒の先端が突き出たとき、前記駆動部片を動かすことによってフックの係止が開放され、雌ホックと雄ホックとが解錠状態となって離脱し取り外しできるようになされた請求項１〜６のいずれか１項に記載の係止機構付き留め具。
【請求項８】
前記雌ホックの錠部は、駆動部片とフックを有し、当該駆動部片とフックは、内ケースと蓋ケースとの内部に組み込まれており、フックは雄ホックのダボに形成された溝に係止される係止部を有し、少なくとも２個のフックがガイドで保持されて前記駆動部片の外側に、かつ前記係止部を内側に向けて対向させて配置され、前記ガイドにばねが付勢されており、雄ホックのダボは前記溝より上の部分に先細の押込み部を有しており、該押込み部を駆動部片の中空部に挿入し前記フックの係止部をダボの溝に係止することによって雌ホックと雄ホックとの結着および施錠がされ、解除具として筆記用具を使用した場合、当該筆記用具の先部によりノック棒の後端部を押してノック棒が前進して貫通孔の開口部からノック棒の先端が突き出たとき、前記駆動部片を蓋ケース側に引き寄せることによって、フックの係止部がダボの溝から離脱し前記結着および施錠が解かれるようになされた請求項１〜７のいずれか１項に記載の係止機構付き留め具。
【請求項９】
前記フックは、内側脚片と外側脚片を有するＵ字状部材の内側脚片の先端を外側に折り曲げて係止部が形成され、かつ施錠時に係止部が雄ホックのダボによって押し広げられるように弾性を有しており、該係止部を駆動部の内側に突出させ、外側脚片をガイドで抑え、内側脚片を駆動部片の外側に沿わせて配置されており、駆動部片が上方に引き寄せられると、駆動部片によって外方向に移動し係止部がダボの溝から離脱するようになされた請求項１〜８のいずれか１項に記載の係止機構付き留め具。
【請求項１０】
前記解錠具による解錠の力で雌ホックを押し出すだけのストロークを設け、解錠の力と同じ方向で留め具の雌ホックと雄ホックの引き離しができるようになした請求項１〜９のいずれか１項に記載の係止機構付き留め具。
【請求項１１】
請求項１〜１０のいずれか１項に記載の係止機構付き留め具を備えた、施錠及び解錠の機能を有する製品。
【請求項１２】
請求項１〜１０のいずれか１項に記載の係止機構付き留め具を備えた、衣類製品。
【請求項１３】
請求項１〜１０のいずれか１項に記載の係止機構付き留め具を備えた、かばん類製品。
【請求項１４】
請求項１〜１０のいずれか１項に記載の係止機構付き留め具を備えた、介護用製品。
【発明の詳細な説明】
【技術分野】
【０００１】
本発明は、施錠及び解錠が容易な係止機構付き留め具に関し、特に衣類製品用、かばん類製品用、介護用製品用、その他施錠及び解錠の機能を有する各種製品用として有用な係止機構付き留め具、及び当該留め具を備えた製品に関する。
【背景技術】
【０００２】
一般に、痴呆症患者、介護患者には、迷惑行為、危険行為等を未然に防ぐために、ロック機構付きファスナーが装着された、寝間着類、手袋、その他介護用製品類が使用され、ロックを解除しないと、ファスナーも開けられないようになっているものが使用されることがある。例えば、このロック機構付き寝間着の一つとして、寝間着の袖、フロント、股部などにロック機構ファスナーを取り付けたものが知られている。このロック機構ファスナーはファスナーの閉終端に例えばロック付きボタンを設けて、ロックを解除しないとボタンが外せなくなっており、従って、ファスナーも開けられないというものである。
【０００３】
このような取り外しが簡単にできないようにした係止機構付き留め具の改良されたものとして、日本特許第４,６５９,６７１号（特許文献１）には、次に示す係止機構付き留め具が提案されている。即ち、特許文献１に記載の係止機構付き留め具は、図１４、図１５に示すように、雌ホック１００の係止部材１１０と、雄ホック１２０のフック部１３０とを着脱してなる留め具１４０であって、雄ホック１２０は外部からフック部１３０の中心部を着脱方向に貫通する貫通孔１５０が設けられており、雌ホック１は雄ホック１２０のフック部１３０に係合された前記係止部材１１０を雄ホック１２０のフック部１３０から離脱しないように係止するストッパー１６０とストッパー１６０を係止部材１１０に対し付勢するためのばね部材１７０を具備し、該雄ホック１２０のフック部１３０に係合された係止部材１１０はフック部１３０の前記貫通孔１５０に対向する部分に開口部１８０を有している。そして、雄ホック１２０の貫通孔１５０に鍵棒１９０を挿通して該開口部１８０からストッパー１６０を押すことにより係止部材１１０に対する係止が開放され、雌ホック１００と雄ホック１２０とを外すことができるようになっている。この解錠の操作は、衣服類の外側に位置する雄フック１２０の貫通孔１５０に鍵棒１９０を人体に向かって差し込むということになる。
【０００４】
この特許文献１に記載された発明によれば、雌ホックの係止部材に雄ホックのフック部を係合させた状態で係止部材をストッパーで両者が外れないように係止し、かつこの係止はストッパーを雄ホックに設けられた貫通孔に鍵棒を挿通して押さない限り開放されないようになっているので、ロック機能を有する留め具を得ることができる。
又、磁石鍵を近接することにより解錠できる係止機構付き留め具として、例えば、日本特許第４,２２０,４５６号（特許文献２）には、次に示すような磁気開閉式の留め具が提案されている。この特許文献２に記載の磁気開閉式の留め具は、図１６に示されるように、雌ホック２００と雄ホック２１０とを着脱する留め具であって、雌ホック２００は、止め鋲２２０で基材２９０に取り付けされた外ケース２３０と内ケース２４０との間に、雄ホック２１０のフック２５０に係合する係止部材２６０と、該係止部材２６０を雄ホック２１０のフック２５０に係合した状態で係止するストッパー部２７０と、該ストッパー部２７０を雄ホック２１０のフック２５０に係止した状態に付勢するばね部材２８０とを具備し、該外ケース２３０の外側から磁石鍵３００の磁力を前記ストッパー部２７０に作用させて、ばね部材２８０の弾性力に抗して動作させることにより、該ストッパー部２７０が係止部材２６０に対する係止を開放し、雄ホック２１０が雌ホック２００から取り外しできるようになっている。
【先行技術文献】
【特許文献】
【０００５】
【特許文献１】日本特許第４,６５９,６７１号公報
【特許文献２】日本特許第４,２２０,４５６号公報
【発明の概要】
【発明が解決しようとする課題】
【０００６】
特許文献１に記載の係止機構付き留め具は、フック部の大きさ、形状の面から、貫通孔に差し込む鍵棒等の道具は、その太さが制限され、かなり細い棒となり、又解錠のための鍵棒等の専用の道具が必要とされ、日常の不特定多頻度の「外す」行為のためには、常にその道具を携帯しておかなければならず、日常生活上、不便であるという問題点を有していた。更に、このような外すための鍵棒等の道具は、先端が細い針状のものであるので、使用者においては、解錠時、鍵棒等の道具を人体に向かって差し込むことに大変な恐怖感を与えかねず、介護の用途においては拒否されかねないものであった。又、鍵棒等の道具を差し込む力の作用方向と、留め具の雌ホックと雄ホックとを引っ張って、係合した雌ホックと雄ホックとを外すときの外すための力の方向とが、相反する方向であり、更にはスナップが利いているため、大変外しにくく、あまり実用的ではなかった。
【０００７】
又、特許文献２に記載された発明の留め具は、解錠のために磁石鍵を必要とし、磁石鍵がないと解錠できないという不便さを有し、非常時に解錠のために、困難を伴うという問題点を有していた。
本発明は、雌ホックと雄ホックの結着及ぶ解錠を容易に行なうことができ、かつ解錠時に恐怖心がなく、安全に行なうことができ、更に非常時においても解錠が容易にできる係止機構付き留め具、特に、介護寝間着等を含む衣類製品用、かばん類製品用、手袋・ベルト等の介護用製品用、その他施錠及び解錠の機能を有する各種製品用として有用な係止機構付き留め具、及び当該留め具を備えた衣類製品、かばん類製品、介護用製品、その他の施錠及び解錠の機能を有する製品を提供することを目的とする。
【課題を解決するための手段】
【０００８】
本発明者は、前記の課題を解決するために、鋭意検討した結果、本発明に至ったものである。即ち、本発明は、下記の係止機構付き留め具、及び当該留め具を備えた衣類製品、かばん類製品、その他の施錠及び解錠の機能を有する製品を提供するものである。
（１）錠部を有する雌ホックと、ダボを有する雄ホックとからなり、前記雌ホックの錠部は、雄ホックのダボが係止されるフックと該フックを施錠状態に付勢するばね部材とを有し、雄ホックのダボが雌ホックのフックに係止することにより雌ホックと雄ホックとの結着がなされるようになされた留め具であって、前記雄ホックのダボは、雄ホックの着脱方向に貫通する貫通孔を有し、該貫通孔には、ノック棒がスプリングを介して貫通孔内を着脱方向に前進、後退するように配設されており、かつノック棒の後端部には、前記スプリングの後端を係止する第２の係止部が設けられており、このノック棒の第２の係止部は、雄ホックの外装ケースに形成された開口部の内周縁部によりノック棒の後退が規制されるようになっており、解除具として筆記用具を使用した場合、該筆記用具の先部によりノック棒の後端部を押してノック棒が前進して貫通孔の開口部からノック棒の先端が突き出たとき、雌ホックの錠部に当接し、解錠できるようになっており、筆記用具の先部をノック棒の後端部から外したときには前記スプリングの付勢力の解除によりノック棒が後退できるようになっていることを特徴とする係止機構付き留め具。
【０００９】
（２）錠部を有する雌ホックと、ダボを有する雄ホックとからなり、前記雌ホックの錠部は、雄ホックのダボが係止される駆動部片と該駆動部片を施錠状態に付勢するばね部材とを有し、雄ホックのダボが雌ホックの駆動部片に係止することにより雌ホックと雄ホックとの結着がなされるようになされた留め具であって、前記雄ホックのダボは、雄ホックの着脱方向に貫通する貫通孔を有し、該貫通孔には、ノック棒がスプリングを介して貫通孔内を着脱方向に前進、後退するように配設されており、かつノック棒の後端部には、前記スプリングの後端を係止する第２の係止部が設けられており、このノック棒の第２の係止部は、雄ホックの外装ケースに形成された開口部の内周縁部によりノック棒の後退が規制されるようになっており、解除具として筆記用具を利用した場合、該筆記用具の先部によりノック棒の後端部を押してノック棒が前進して貫通孔の開口部からノック棒の先端が突き出たとき、雌ホックの錠部に当接し、解錠できるようになっており、筆記用具の先部をノック棒の後端部から外したときには前記スプリングの付勢力の解除によりノック棒が後退できるようになっていることを特徴とする係止機構付き留め具。
【００１０】
（３）前記ノック棒の後端部の解錠具が当接する部分の面積は、解錠具としての筆記用具のペン先が当接する程度の面積であり、人の指で触っただけでは解錠できないようになっていることを特徴とする上記（１）又は２に記載の係止機構付き留め具。
（４）前記ノック棒の第２の係止部は、前記外装ケースの開口部の内周縁部の内側において、当該内周縁部により係止され、当該第２の係止部は、外装ケースの開口部から突出していないことを特徴とする上記（１）〜（３）のいずれかに記載の係止機構付き留め具。
【００１１】
（５）前記ノック棒は、その軸方向の外周にスプリングを介装し、前記貫通孔内を着脱方向に前進、後退するように配設されていることを特徴とする上記（１）〜（４）のいずれかに記載の係止機構付き留め具。
（６）前記ダボの貫通孔の拡径部の先端部にはスプリングの前端を係止する第１の係止部を有し、ノック棒の後端部にはスプリングの後端を係止する第２の係止部を有し、ノック棒が突き出たとき、第１及び第２の係止部により前記スプリングに付勢力が加わるようになっていることを特徴とする上記（１）〜（５）のいずれかに記載の係止機構付き留め具。
【００１２】
（７）錠部を有する雌ホックと、ダボを有する雄ホックとからなり、前記雌ホックの錠部は、雄ホックのダボに係止されるフックと、該フックを保持するガイドと、雄ホックのダボに対するフックの係止を開放させる駆動部片と、フックを施錠状態に付勢するばねとを有し、前記フックを雄ホックのダボに係止することによって雌ホックと雄ホックとの結着および施錠がされ、ノック棒の後端部を解錠具により押してノック棒が前進して貫通孔の開口部からノック棒の先端が突き出たとき、前記駆動部片を動かすことによってフックの係止が開放され、雌ホックと雄ホックとが解錠状態となって離脱し取り外しできるようになされた上記（１）〜（６）のいずれかに記載の係止機構付き留め具。
【００１３】
（８）前記雌ホックの錠部は、駆動部片とフックを有し、当該駆動部片とフックは、内ケースと蓋ケースとの内部に組み込まれており、フックは雄ホックのダボに形成された溝に係止される係止部を有し、少なくとも２個のフックがガイドで保持されて前記駆動部片の外側に、かつ前記係止部を内側に向けて対向させて配置され、前記ガイドにばねが付勢されており、雄ホックのダボは前記溝より上の部分に先細の押込み部を有しており、該押込み部を駆動部片の中空部に挿入し前記フックの係止部をダボの溝に係止することによって雌ホックと雄ホックとの結着および施錠がされ、解除具として筆記用具を使用した場合、当該筆記用具の先部によりノック棒の後端部を押してノック棒が前進して貫通孔の開口部からノック棒の先端が突き出たとき、前記駆動部片を蓋ケース側に引き寄せることによって、フックの係止部がダボの溝から離脱し前記結着および施錠が解かれるようになされた上記（１）〜（７）のいずれかに記載の係止機構付き留め具。
【００１４】
（９）前記フックは、内側脚片と外側脚片を有するＵ字状部材の内側脚片の先端を外側に折り曲げて係止部が形成され、かつ施錠時に係止部が雄ホックのダボによって押し広げられるように弾性を有しており、該係止部を駆動部の内側に突出させ、外側脚片をガイドで抑え、内側脚片を駆動部片の外側に沿わせて配置されており、駆動部片が上方に引き寄せられると、駆動部片によって外方向に移動し係止部がダボの溝から離脱するようになされた上記（１）〜（８）のいずれかに記載の係止機構付き留め具。
（１０）前記解錠具による解錠の力で雌ホックを押し出すだけのストロークを設け、解錠の力と同じ方向で留め具の雌ホックと雄ホックの引き離しができるようになした上記（１）〜（９）のいずれかに記載の係止機構付き留め具。
（１１）上記（１）〜（１０）のいずれかに記載の係止機構付き留め具を備えた、施錠及び解錠の機能を有する製品。
（１２）上記（１）〜（９）のいずれかに記載の係止機構付き留め具を備えた、衣類製品。
（１３）上記（１）〜（１０）のいずれかに記載の係止機構付き留め具を備えた、かばん類製品。
（１４）上記（１）〜（１０）のいずれかに記載の係止機構付き留め具を備えた、介護用製品。
【発明の効果】
【００１５】
本発明によれば、人の指などで不用意に触っただけで外れることがなく、又反対に専用の特殊といえる鍵棒等の解錠の道具を必要とせずに、“外す”意図があれば、簡単に外せるように、身近にどこにでもあるもの、例えばボールペンのペン先、その他筆記用具の先部、鉛筆の先部、爪楊枝等のような道具の使用により簡単に留め具の雌ホックと雄ホックとを外すことができる。これによって、解錠のために専用な特殊な鍵棒等の解錠具を常に携帯することから開放され、更に細い針状の鍵棒等を突き当てるのではなく、一般的に身近に常にあるボールペン等の道具を用いることで、介護等の現場においても恐怖感などを与えることがなく、留め具の解錠を行なうことができ、実用性が著しく高まった係止機構付き留め具を提供することができる。
又、特許文献２に記載の鍵棒を使って解錠する場合、解錠のための鍵棒を差し込む方向と、解錠した後、留め具の雌ホックと雄ホックの引き離す力の方向とが、相反する方向で、使い勝手が良くないものであったが、本発明の係止機構付き留め具によれば、解錠具による“外す”力でそのまま相手方を押し出すだけのストロークを設け、更にスナップばねのない錠を採用することで、相手方を軽く押し出してしまうことによって、力の作用方向を同じ方向にすることができ、実用性を著しく高めることができる。
【図面の簡単な説明】
【００１６】
【図１】本発明の一実施形態に係わる係止機構付き留め具の施錠前の概略断面図。
【図２】図１の係止機構付き留め具の施錠過程の概略断面図。
【図３】図１の係止機構付き留め具の施錠状態の概略断面図。
【図４】図１の係止機構付き留め具の他の例の施錠過程の概略断面図。
【図５】図１の係止機構付き留め具の他の例の解錠過程の概略断面図。
【図６】図１の係止機構付き留め具の他の例の解錠過程の概略断面図。
【図７】図１の係止機構付き留め具の他の例の解錠直後の概略断面図。
【図８】図１の係止機構付き留め具の解錠状態の概略断面図。
【図９】図１の係止機構付き留め具の他の例の解錠過程の概略断面図。
【図１０】図１の係止機構付き留め具の他の例の解錠直後の概略断面図。
【図１１】本発明の一実施形態に係わる係止機構付き留め具の雄ホックの分解説明図。
【図１２】本発明の一実施形態に係わる係止機構付き留め具の雌ホックの分解説明図。
【図１３】本発明に係わる係止機構付き留め具を使用した、介護用寝間着としての衣類製品及びかばん類製品を説明する概略正面図。
【図１４】従来の一形態に係る留め具の断面説明図。
【図１５】図１４に示した留め具の解錠状態を示す断面説明図。
【図１６】従来の他の形態に係る留め具の断面説明図。
【発明を実施するための形態】
【００１７】
本発明の好ましい実施形態の係止機構付き留め具（以下、本留め具ともいう。）について図面を参照して説明する。
図１は施錠前の本留め具の断面図である。図１に示すように本留め具は雌ホック１と雄ホック２とからなる。雌ホック１および雄ホック２は、衣類製品、かばん類製品、介護用製品、その他製品の生地、皮革、プラスチック等の基材１４（裏側の基材）および基材１５（表側の基材）のそれぞれの所望の取付け箇所に対で取り付けられ、雌ホック１の錠部に雄ホック２のダボ１０を嵌挿することにより結着と施錠が同時にされる。そして、施錠された本留め具は、所望の解錠具、あるいは磁石鍵によって解錠すると雌ホック１と雄ホックとが離脱し、取り外すことができる。
【００１８】
本留め具の雄ホック２及び雌ホック１について、図１１及び図１２の分解図に従って説明する。
本例の留め具の雄ホック２は、ダボ１０とスプリング３０とノック棒３１と内リング３２と外蓋ケース３３とによって基本的に構成される。
前記ダボ１０は台座３４に柱状部を植立してなり、これらの中心部には着脱方向に貫通孔２１が設けられている。ダボ１０の柱状部は、後述する雌ホックのフックを係止するための溝１３が外周に形成されており、該溝１３より上の部分に先細状の押込み部１２を有している。この押込み部１２は、その先端に向かって滑らかな傾斜面になっている。雄ホック２の取付けは、図１１に示すように、基材１５に開けられた取付け孔にダボ１０を挿入し、ダボの押込み部１２側からはとめ９を被せ、はとめ片をかしめことにより行なわれる。
【００１９】
ノック棒３１は、その軸方向の外周にスプリング３０を介装して、前記ダボ１０の貫通孔２１に挿入され、ノック棒３１は貫通孔２１内を前進、後退するように配設されている。即ち、前記ダボ１０の貫通孔２１は、図１１に示されるように、その先端側から後端側の間に内径が拡大された円筒状の拡径部が形成されており、前記スプリング３０は前記拡径部においてノック棒３１の外周に、かつその軸方向に沿って配設されている。前記ダボ１０の貫通孔２１の拡径部の先端部にはスプリング３０の前端（図１１においては上端側）を係止する第１の係止部３５（図１参照）が設けられており、一方ノック棒３１の後端部３６にはスプリング３０の後端を係止する第２の係止部３７が設けられ、この第２の係止部３７は、例えば外装ケース３３に形成された開口部３８の内周縁部によりノック棒３１の後退が規制されるようになっている。ノック棒３１の先端が貫通孔２１から突き出る方向に前進したとき、第１の係止部３５及び第２の係止部３７により前記スプリング３０に付勢力が加わるようになっている。このような構成とすることにより、ノック棒３１の後端部３６を所望の解錠具により押してノック棒３１が前進して貫通孔２１の開口部からノック棒３１の先端が突き出る方向に前進したとき、雌ホック１の駆動部片を突き上げし、解錠するようになっている。一方、解錠具をノック棒の後端部から外したときには前記スプリング３０の付勢力の解除によりノック棒が後退するようになっている。
前記ダボ１０の材質としては、特に限定されないが、例えば真鍮やステンレス鋼などの金属、高強度プラスチックなどが好ましい。
【００２０】
一方、雌ホック１は、内ケース７と蓋ケース８とが組み込まれて構成されており、内ケース７と蓋ケース８との間に錠部が形成されている。図１、図１２に示すように内ケース７は、内部に錠部を組み込むための空間部を有する略ドーナツ状体であり、底部には雄ホック２のダボ１０を出し入れするための透き孔２６が、前記ダボ１０の柱状部の最大径より大きい径で設けられている。蓋ケース８は、雌ホック１の前記内ケース７に被冠される円形のキャップ状体である。なお、蓋ケース８の表側に磁石鍵を近接、ないし当接させて解錠する形態の留め具の場合には、蓋ケース８の表側は解錠時に磁石鍵を近接し、ないし当接しやすくするためにほぼ平坦であることが好ましい。
【００２１】
雌ホック１の錠部は、雄ホック２のダボ１０に係止されるフック３と、該フック３を保持するガイド５と、雄ホック２のダボ１０に対するフック３の係止を開放させる駆動部片４と、フックを施錠状態に付勢するばね６とを有している。本例の駆動部片４は、雄ホック２の前記押込み部１２を下方から挿入できる中空部２５を有する略円錐台状体である。雌ホックの表側に磁石鍵を近接、ないし当接させて解錠する形態の留め具の場合には、この駆動部片４は、鉄、１８−８ステンレス鋼以外のステンレス鋼（磁性ステンレス鋼）などの磁性材料で形成される。特に、磁性ステンレス鋼は防錆に優れ、経済的にも好ましい。駆動部片４を磁性材料で形成することにより、解錠時に該駆動部片４を磁石鍵の磁力で動作させてフック３とダボ１０との係止を解放させることができる。駆動部片４は通常全体を磁性材料で形成するが、解錠時に最も磁力が作用する中空体の頂部だけを磁性材料で形成してもよいし、あるいはこの部分に磁性材を接着してもよい。
【００２２】
フック３は、本留め具の施錠時に雌ホック１を雄ホック２のダボ１０に係止させるための係止部１６を持っている。本例のフック３は、図示するように内側脚片と外側脚片とを有するＵ字状部材からなり、その内側脚片の先端を外側に折り曲げて係止部１６を形成している。該Ｕ字状部材の内側脚片は弾性を持っており、施錠過程において係止部１６が雄ホック２のダボ１０の押込み部１２によって押されると弾性変形できる。ホックの結着と施錠を確実かつ安定して行うために、通常は本例のように、駆動部片の周りに４個のフックが使用されるが、フックの数は限定されないで、例えば２個または３個を駆動部片の周りに等間隔で配置してもよい。
【００２３】
上記した例は、雄ホックのダボが係止されるフックと該フックを施錠状態に付勢するばね部材とを有するタイプの本留め具であって、雄ホックのダボが雌ホックのフックに係止することにより雌ホックと雄ホックとの結着がなされるようにされたものであるが、雄ホックのダボが係止される駆動部片と該駆動部片を施錠状態に付勢するばね部材とを有するタイプの本留め具であって、雄ホックのダボが雌ホックの駆動部片に係止することにより雌ホックと雄ホックとの結着がなされるようにしてもよい。例えば、駆動部片の中空部側の内側の下端近傍に係止凸部を設け、雄ホックのタボの押込み部の外周に当該係止部と係合する係止凹部を設け、駆動部片の係止凸部と、雄ホックのタボの係止凹部とを係合により雌ホックと雄ホックとの結着がなされるようにしてもよい。
【００２４】
上記錠部を形成するために、内ケース７および蓋ケース８とを組み込むには、図１、１２示すように駆動部片４の外側に４個のフック３を、係止部１６を対向させて等間隔で配置し、駆動部片４の下端を該係止部１６に載置した状態で内ケースの空間部に収容した後、フック３にガイド５を上方から装着する。あるいは、フック３にガイド５を装着してから組み込む。ガイド５には、図１２に示すようにフック３を保持するための切欠部２４が形成されており、該切欠部２４にフック３を組み入れ、保持する。フック３が切欠部２４に組み入れられた状態において、フック３の外側脚片はガイド５で抑えられ、内側脚片は駆動部片４の外面に沿って配置される。また、切欠部２４を除くガイド５の内側は駆動部片４の外面と接する。なお、ガイド５の最大径は内ケースの空間部の径より小さくなっていて、ガイド５が内ケースの空間部内を上下動できるようになっている。
【００２５】
このように駆動部片４の外側にフック３をガイド５で保持して内ケース７に収容した後、上記ガイド５にばね６を付勢させて蓋ケース８を被冠する。本例では、ばね６として、コイルばねを使用しているが、これに限定されないで、例えば板ばね、竹の子ばね、うず巻きばね、線巻きばねなどを用いることができる。また、形状および大きさはガイド５の形体に合わせて適宜決める。なお、雌ホックの表側に磁石鍵を近接、ないし当接させて解錠する留め具の形態の場合には、ばね６としては解錠時に駆動部片４に作用する磁石鍵の磁力より小さい弾性力のものが使用される。
【００２６】
雌ホックの表側に磁石鍵を近接、ないし当接させて解錠する形態の留め具の場合、本発明の雌ホック１は、駆動部片４以外の部材は非磁性材料から形成されることが好ましい。特に、蓋ケース８は非磁性材であることが好ましい。その理由は、解錠時に磁石鍵を雌ホック１に近づけたとき、磁力が磁性材の駆動部片４に集中し、これらの部材には作用しないようにするためである。この非磁性材料としては、例えば１８−８ステンレス鋼、真鍮、亜鉛、アルミニウムなどの金属が強度、防錆、製造加工のしやすさなどの面で好ましく、なかでも真鍮が優れている。なお、上記した形態でない場合、蓋ケース８を構成する材料は、上記した非磁性材料に限らず、磁性金属材料であってもよい。
【００２７】
上記雌ホック１を衣類製品、かばん類製品、介護用製品等の基材１４に取り付けるには、雌ホック１を取付ける基材１４の所望の箇所にあらかじめ孔をあけ、該孔に裏側からはとめ９（図１２参照）のはとめ片２２を挿入して該はとめ片２２に錠部が形成された雌ホック１の内ケース７を嵌合し、はとめ片２２の先部と内ケース７および蓋ケース８の縁部とを重ね合わせた状態で一緒に折り曲げることにより行うことができる。この場合、はとめ９に突起２３を形成しておくと、該突起２３が基材に食い込んで取り付けを強固にできる。なお、雌ホック１の取り付け方法は、例えば、取り付ける衣服の種類、衣服の基材の種類などにより適宜選択でき、限定されない。例えば、本例では錠部を組み込んだ雌ホック１をはとめ９で基材１４に取り付けているが、はとめ９をあらかじめ基材１４に挿入しておき、該はとめ９に内ケースを嵌合して雌ホックを取り付けてもよい。
【００２８】
図１には、衣類製品、かばん類製品、介護用製品等の基材１４に取り付けられた施錠前の雌ホック１が示されている。図１において、駆動部片４の外側に配置された２個のフック３は、内側脚片が略円錐台状の駆動部片４の外面で支持され、外側脚片がガイド５で抑えられて保持されており、各フック３の係止部１６の先端部は駆動部片４の内側に突出している。ガイド５がばね６の付勢によって下方に押されるため、通常時のフック３および駆動部片４は、ともに該ガイド５を介してばね６の弾性力で下方に押し下げられて保持される。
【００２９】
この状態の駆動部片４に対し、雄ホック２の外側から、その貫通孔２１に収納されたノック棒３１に外側から解錠具３９を押し当て、当該解錠具３９を貫通孔２１内を進行させると、駆動部片４の略円錐台状の外面でガイド５をばね６の弾性力に抗して押し上げる。
又、この状態の駆動部片４に対し、雌ホック１の外側（蓋ケース側）から磁石鍵により磁力を作用させると、駆動部片４が磁性材料で形成されているため、駆動部片４は磁力で上方に引き寄せられ、円錐台状の外面でガイド５をばね６の弾性力に抗して押し上げる。
そして、ガイド５が押し上げられるとフック３の外側脚片に対する抑えが解消し、かつ内側脚片が駆動部片４で押されてフック３が外方向に動くため、それまで駆動部片４の内側に突出していた係止部１６は後退する。そして、駆動部片４に対するノック棒の押圧力、又は磁力の作用が解消されると、上記フック３および駆動部片４は、ガイド５に働くばね６の付勢力によって押し下げられ最初の位置に戻る。
【００３０】
次に、本留め具の施錠過程について図２、３を参照して説明する。
図２の様に、雄ホック１のダボ１０を雌ホック１の駆動部片４の中空部２５に挿入すると、先細状の押込み部１２の傾斜面が駆動部片４の内側に突出しているフック３の係止部１６に衝合する。さらにダボ１０を押し込むと、フック３の内側脚片が図２のＡに示すように矢印方向に弾性変形し、押込み部１２の傾斜面で係止部１６が外方向に押し広げられる。
【００３１】
ダボ１０が駆動部片４の中空部２５に完全に押し込まれると、図３に示すようにフック３の係止部１６が、ダボ１０に設けられた溝１３に、フック３（内側脚片）の弾性復元力で嵌合する。これにより、雌ホック１と雄ホック２とは結着され、同時にダボ１０がフック３に係止され、抜けなくなるため施錠される。施錠されたホックは、フック３がばね６の付勢によってガイド５で押さえられるため、係止部１６とダボ１０の溝１３との係止が確実に保持される。この結果、施錠された本留め具は、駆動部片４を解錠具、あるいは磁石鍵で意図的に動かしフック３の係止を解放させて解錠しない限り離脱不可能であり、解錠しない。
【００３２】
次に、本例の留め具を雄ホック２の外側からその貫通孔２１に収納されたノック棒３１に解錠具３９を押し当てて、解錠具３９を貫通孔２１内を進行させて解錠する場合について、図４〜図７を参照して説明する。
前記したように、図４のように施錠された雌ホック１と雄ホック２は、図５、図６に示すように雄ホック２に設けられた貫通孔２１に挿入されたノック棒３１の後端部３６に解錠具３９に押し当て、解錠具３９を前進させ、ノック棒３１の先端部を駆動部片４に当接させ、当該ノック棒３１の前進により駆動部片４をばね部材６の弾性力に抗して押し上げると（図５において、ノック棒３１を上方に突き上げると）、駆動部片４が上昇し、その傾斜面（外面）がガイド５を持ち上げながら外方向に押し、同時にフック３を外方向（矢印方向）に移動させるため、フック３の係止部１６がダボ１０の溝１３から外れて係止が解放され、本留め具は解錠の状態となる。このノック棒３１の前進とともにスプリング３０は縮んだ状態となり、付勢力が生ずる。本留め具が解錠された後、解錠具３９をノック棒３１の後端部から離すと、スプリング３０の付勢力は解放され、ノック棒３１は、退却して元の位置に戻り、解錠状態が維持される。そして、図７のように、雌ホック１と雄ホック２とは引き離された状態となる。
本発明の留め具の解錠に当たっては、留め具の解錠のために設計された固有の構造を有する解錠具を利用する必要がなく、留め具の雄ホックの表側から（即ち、衣類製品においては衣類の表側から）、身近にあるボールペン等の筆記具を解錠具として利用できる。
【００３３】
次に、本例の係止機構付き留め具、雌ホック１の外側から（即ち、衣類製品においては衣類の裏側から）、磁石鍵を使用して解錠する場合について図８〜図１０を参照して説明する。
図８の様に、施錠された本留め具の解錠は、雌ホック１に磁石鍵を近づけることによって行なわれる。図８に示すように、雌ホック１に磁石鍵の磁石１９を近づけると、磁性体で形成されている駆動部片４が磁石１９に引き寄せられて上方に動く。駆動部片４が上昇すると、その傾斜面（外面）がガイド５を持ち上げながら外方向に押し、同時にフック３を外方向（矢印方向）に移動させるため、フック３の係止部１６がダボ１０の溝１３から外れて係止が解放され、本留め具は解錠の状態となる。
【００３４】
図９は、解錠直後の雌ホックと雄ホックの状態を示す。磁石１９により解錠された本留め具は、磁石１９が雌ホック１から離れると、駆動部片４およびフック３がばね６によってガイド５を介して元の位置に戻ろうとする。この時、雌ホック１と雄ホック２は解錠と同時に結着も解かれ、かつ基材１４、および１５の撓み力によって互いに離れようとするため、フック３の係止部１６はダボ１０の溝１３から外れたままの状態となり、磁石１２を本留め具から離した後も解錠を保つことができる。同時に結着も解かれる。さらに、フック３が駆動部片４の動作に追従して間接的に戻るため、フック３の係止部１６はダボ１０の溝１３より上方にずれて戻りやすくなり、溝１３から外れたままの状態となる。これにより、従来の磁気ホックのように解錠の状態で両手を使って雌ホックと雄ホックとを引き離さなくても取り外すことができる。この場合、解錠前の状態において、フック３と蓋ケース８との間に若干の空隙が設けられていると、解錠時にフック３が駆動部片４によって上方にも動かされるため、フック３が元の位置に戻るとき、係止部１６がダボ１０の溝１３から一層外れやすくなるので好ましい。
【００３５】
図１０は、本留め具が完全に解錠された状態を示す。この状態では駆動部片４が磁石１９によって上方に引き寄せられ、フック３が両側に後退しているため、雌ホック１と雄ホック２とは基材１４、および１５の撓みや重さによって離脱し、本留め具を簡単に外すことができる。本留め具を外した後、磁石１９を雌ホック１から離すと、磁力による駆動部片４の引き寄せが解消されるため、前記したようにばね６の付勢力でフック３と駆動部片４は元の状態に戻る。
【００３６】
本発明の係止機構付き留め具の解錠具としては、上記したようにスプリングを介装したノック棒の働きにより解錠する形態であるので、解錠具が当接するノック棒の後端部の面積をある程度をもって確保できるので、先の尖がった小径の専用の鍵棒を用意する必要がなく、身近にどこにでもあるようなもの、例えばボールペンのペン先、その他筆記用具の先部、鉛筆の先部、爪楊枝等のようなものが使用できる。
【００３７】
本発明の係止機構付き留め具が雌ホックの表側に磁石鍵を近接、ないし当接させて解錠する留め具の形態の場合において、雌ホック１と雄ホック２の解錠に使用される磁石鍵の磁石は、所定の強度の磁力が得られるものであれば、永久磁石、電磁石のいずれでもよい。なかでも、永久磁石は磁石自体の構造が簡単でかつ電源を必要としないため軽量化と小型化に適し、携帯の利便性が得られる点で優れている。
【００３８】
図１３の（ａ）は、本発明の係止機構付き留め具６０を衣類製品の一例としての介護用寝間着６１の開閉スライダー６２の終端部の留め具として使用した例であり、必要時に応じて、磁石キー、又は解錠具により解錠しない限り、介護用寝間着６１の開閉スライダー６２を開けることができない。
【００３９】
図１３の（ｂ）は、本発明の係止機構付き留め具５０をかばん５１の簡易ロック付き留め具として適用したものを示した一例であり、必要時に応じて、磁石キー、又は解錠具により解錠しない限り、かばん５１の蓋を開けることができない。
本発明の係止機構付き留め具は、介護者用寝間着やその他各種衣類製品、介護者用手袋、介護用器具、介護用携帯品等の介護用製品、かばん、ハンドバック、ショルダーバック、ポーチ、その他のかばん類製品や、その他の施錠、解錠の機能を必要とされる各種製品等の係止機構付き留め具として好適に使用することができる。
【産業上の利用可能性】
【００４０】
本発明の係止機構付き留め具によれば、その係止の解除を、留め具の雄ホックの表側から、即ち、衣類製品においては衣類の表側から、身近にあるボールペン等の筆記具等の解錠具を利用して雄ホックのダボに挿入されたノック棒を突き上げることにより解錠することができ、解錠後、ノック棒がスプリングにより退却するので、解錠状態を維持できる。又、解錠具を差し込む力の作用方向と、留め具の雌ホックと雄ホックとを引っ張って、係合した雌ホックと雄ホックとを外すときの外すための力の方向とが、同じ方向となるため、雌ホックと雄ホックとの引きはがしが容易であり、使い勝手がよい。
又、本発明に係わる留め具は、雌ホックの表側からも（即ち、衣服製品の場合には着服した際の裏側からも）、磁石鍵によって留め具を外せることができるようにされており、非常時においては特別に専用化された解錠具を使用することがなく、磁石鍵のより、留め具の雌ホックと雄ホックとを外すことができるので、種々の状況下での解錠が可能であり、利便性に優れている。また、小型化、軽量化できるので、介護用寝間着・介護服等を含む各種衣類製品、手袋・ベルト等の介護用製品、かばん類製品などの各種簡易タイプの係止機構付き留め具として有用である。
【符号の説明】
【００４１】
１：雌ホック                  ２：雄ホック                ３：フック
４：駆動部片                  ５：ガイド                  ６：ばね
７：内ケース                  ８：蓋ケース                ９：はとめ
１０：ダボ                  １２：押込み部              １３：溝
１４：衣服等の裏側の基材    １５：衣服等の表側の基材    １６：係止部
１９：磁石                  ２１：貫通孔                ２２：はとめ片
２３：突部                  ２４：切欠部                ２５：中空部
２６：透き孔                ３０：スプリング            ３１：ノック棒
３２：内リング              ３３：外蓋ケース            ３４：台座
３５：第１の係止部          ３６：後端部                ３７：第２の係止部
３８：開口部                ３９：解錠具                ４０：磁石鍵
４１：磁石鍵                ４１：ホルダー              ５０、６０：本留め具
５１：かばん                ６１：介護用寝間着          ６２：スライダー
【図１】
0005781853.tif 000002
【図２】
0005781853.tif 000003
【図３】
0005781853.tif 000004
【図４】
0005781853.tif 000005
【図５】
0005781853.tif 000006
【図６】
0005781853.tif 000007
【図７】
0005781853.tif 000008
【図８】
0005781853.tif 000009
【図９】
0005781853.tif 000010
【図１０】
0005781853.tif 000011
【図１１】
0005781853.tif 000012
【図１２】
0005781853.tif 000013
【図１３】
0005781853.tif 000014
【図１４】
0005781853.tif 000015
【図１５】
0005781853.tif 000016
【図１６】
0005781853.tif 000017